(57)【要約】      （修正有）【課題】グリップの装着及び取外しに手間がかからず、ユーザーの好みに応じて、種々の形状や質感を有するグリップを容易かつ簡便に交換することができるゴルフクラブのグリップ構造を提供する。【解決手段】中空のシャフトと；シャフトの軸心回りに相対回転自在でかつ軸心方向移動不能に、シャフトに取り付けられた略筒状部分を有するグリップと；シャフトの外周面のうちの、グリップの前記略筒状部分の内周に対応する位置に固定して設けられた断面環状のストッパーと；を具備し、ストッパーは、周方向に複数に複数に分割され、周方向一方側に向かって厚さが増大している複数の分割ストッパーで構成され、グリップの前記筒状部分の内周面には、分割ストッパーの外面に接触するように周方向一方側へ向かって軸心からの距離が大きくなっている傾斜面が複数形成されるグリップ構造とする。【選択図】図１
2010253232.tif 000002
【特許請求の範囲】
【請求項１】
中空のシャフトと、
前記シャフトの軸心回りに相対回転自在でかつ軸心方向移動不能に、前記シャフトに取り付けられた略筒状部分を有するグリップと、
前記シャフトの外周面のうちの、前記グリップの前記略筒状部分の内周に対応する位置に固定して設けられた断面環状のストッパーと、
を具備し、
前記ストッパーは、周方向に複数に複数に分割され、周方向一方側に向かって厚さが増大している複数の分割ストッパーで構成され、
前記グリップの前記筒状部分の内周面には、前記分割ストッパーの外面に接触するように周方向一方側へ向かって前記軸心からの距離が大きくなっている傾斜面が複数形成されており、
前記グリップを周方向一方側へ回転させると、前記傾斜面が前記分割ストッパーの前記外面を径方向内側へ押し、前記グリップの前記筒状部分が前記ストッパーを介して前記シャフトに固定されること、
を特徴とするグリップ構造。
【請求項２】
前記シャフトと前記ストッパーとが一体化された構成を有すること、
を特徴とする請求項１に記載のグリップ構造。
【請求項３】
さらに、前記シャフトの後端部の開口部を閉じる蓋体と、
前記シャフトの軸心回りに相対回転自在に、前記蓋体に取り付けられた拡径構造体と、
前記拡径構造体と、前記シャフトの内周面との間に設けられた断面環状のストッパーと、
を具備し、
前記ストッパーは、周方向に複数に複数に分割され、周方向一方側に向かって厚さが増大している複数の分割ストッパーで構成され、
前記拡径構造体の外周面には、前記分割ストッパーの内面に接触するように周方向一方側へ向かって前記軸心からの距離が大きくなっている傾斜面が複数形成されており、
前記蓋体とともに前記拡径構造体を周方向一方側へ回転させると、前記傾斜面が前記分割ストッパーの前記外面を径方向外側へ押し、前記拡径構造とともに前記蓋体が前記分割ストッパーを介して前記シャフトに固定されること、
を特徴とする請求項１又は２に記載のグリップ構造。
【請求項４】
前記拡径構造体の外周面に設けられた前記傾斜面に、前記軸心の方向に垂直な方向に走る誘導溝を有し、
前記分割ストッパーの内面のうちの前記誘導溝に対応する部分に、前記誘導溝に嵌まるリブを有すること、
を特徴とする請求項３に記載のグリップ構造。
【請求項５】
前記シャフトが、軸心の方向に沿って一体的に形成された、本体部分、傾斜部分、前記本体部分よりも細いグリップ部分及びネジ部分を有し、
前記蓋体の内側にネジ穴が設けられており、
前記蓋体を前記ネジ部分に取り付けることにより、前記グリップが前記傾斜部分に当接し、前記蓋体と前記傾斜部分との間で前記軸心の方向において固定されること、
を特徴とする請求項１に記載のグリップ構造。
【発明の詳細な説明】
【技術分野】
【０００１】
本発明は、取外し交換可能なグリップ構造に関する。より詳しくは、本発明は、ゴルフクラブ、各種ラケット、若しくは鍬、鎌又は鋤等に適用可能な、取外し交換可能なグリップ構造に関する。
【背景技術】
【０００２】
例えばウッドやアイアン、パターを含むゴルフクラブ、バドミントン用ラケットやテニス用ラケット等の各種ラケット、若しくは鍬、鎌又は鋤等に用いられるグリップは、ユーザーの希望によって交換されることが多いものである。なかでも、ゴルフクラブのグリップは、ユーザーの調子や習熟度、ラウンドするコースや季節等に応じてスコアに繊細に影響を与え得るものであり、特にグリップの交換が希望される場合が多いと考えられる。
【０００３】
従来のゴルフクラブやラケットのグリップ構造では、ラバー製のグリップが堅固にシャフトに固定して装着されており、特定のグリップを一旦シャフトに装着してしまうと取り外すことは至難の業で、ユーザーの希望によっても別のグリップに交換することはほぼ不可能か、可能でもかなりの労力を要するものであった。
【０００４】
例えば、特許文献１においては、装飾を施すのに美観性と設計自由度ともに良好で、材料の選択範囲も広いキャップ体を有するゴルフクラブグリップを提供することを意図して、管状体であり、その一端が開口し、他端が完全に閉塞され、且つ、該開口からゴルフクラブシャフトの掌握端に挿入されて該掌握端に取り付けられうるように形成されていることを特徴とする、ゴルフクラブグリップが提案されている（特許文献１、要約及び請求項１を参照）。
【０００５】
ところが、この特許文献１において提案されているゴルフクラブグリップでは、グリップをビスで直接シャフトに接続・固定する構成を採用しているため、グリップの固定が不十分であったり、場合によってはビスによってシャフトを損傷してしまったりするという問題がある。
【０００６】
これに対し、例えば特許文献２においては、ユーザーの嗜好によってグリップ部の意匠デザインを容易に変えることができるグリップ構造を提供することを可能にすることを意図して、グリップ部のシャフト１１の外周面上に内側粘着層１を介して加飾シート材７が貼着され、該加飾シート材７の外周面上に水溶性粘着層からなる外側粘着層４を介して透明または半透明で且つ伸縮自在のグリップ部材１２が着脱可能に貼着された構成を有するグリップ構造が提案されている（特許文献２、要約及び請求項１を参照）。
【先行技術文献】
【特許文献】
【０００７】
【特許文献１】特開２００６−１９８４０２号公報
【特許文献２】特開２００７−３２５６９９号公報
【発明の概要】
【発明が解決しようとする課題】
【０００８】
上記特許文献２において提案されているグリップ構造では、水溶性粘着層とグリップ部材との間に水を流通させて該水溶性粘着層に水を接触させることにより粘着力を除去して伸縮自在のグリップ部材を容易に脱離することができ、加飾シート材を剥がしてグリップ部材も交換することができる。
【０００９】
しかしながら、このグリップ構造は、基本的に、グリップ部の意匠デザインを容易に変えることを意図したものであり、グリップそのものの交換も可能ではあるが、グリップ部のシャフトの外周面上に内側粘着層を介して加飾シート材を貼着しなければならないことに加えて、加飾シート材の外周面上に水溶性粘着層からなる外側粘着層を介してグリップ部材を貼着しなければならず、構造が複雑であり、また、水溶性粘着層や加飾シート材の除去や再貼着に手間がかかるという問題がある。
【００１０】
そこで、本発明の目的は、グリップの装着及び取外しに手間がかからず、ユーザーの好みに応じて、種々の形状や質感を有するグリップを容易かつ簡便に交換することができるゴルフクラブのグリップ構造を提供することにある。
【課題を解決するための手段】
【００１１】
上記のような課題を解決すべく、本発明者は、ゴルフクラブのグリップ構造について鋭意実験を繰り返して検討をした結果、グリップが装着されるシャフト部分と、グリップとに、特定の構造を採用すれば、上記のような従来の問題を解消できることを見出し、本発明を完成するに至った。
【００１２】
すなわち、本発明は、
中空のシャフトと、
前記シャフトの軸心回りに相対回転自在でかつ軸心方向移動不能に、前記シャフトに取り付けられた略筒状部分を有するグリップと、
前記シャフトの外周面のうちの、前記グリップの前記略筒状部分の内周に対応する位置に固定して設けられた断面環状のストッパーと、
を具備し、
前記ストッパーは、周方向に複数に複数に分割され、周方向一方側に向かって厚さが増大している複数の分割ストッパーで構成され、
前記グリップの前記筒状部分の内周面には、前記分割ストッパーの外面に接触するように周方向一方側へ向かって前記軸心からの距離が大きくなっている傾斜面が複数形成されており、
前記グリップを周方向一方側へ回転させると、前記傾斜面が前記分割ストッパーの前記外面を径方向内側へ押し、前記グリップの前記筒状部分が前記ストッパーを介して前記シャフトに固定されること、
を特徴とするグリップ構造を提供する。
【００１３】
このような構造を有する本発明のグリップ構造によれば、上記のような特許文献２に記載の技術のように、水溶性粘着層や加飾シート材を用いることなく、グリップをシャフトに機械的に堅固に（特にシャフトの中心軸を中心とする周方向に対して）固定して装着することができるとともに、当該グリップの取外し（すなわち交換）も行うことができ、種々の形状や質感を有するグリップを容易かつ簡便に交換することができる。
【００１４】
上記のような本発明のグリップ構造は、前記シャフトと前記ストッパーとが一体化された構成を有すること、が好ましい。このとき、前記シャフトと前記ストッパーは、同じ材料で構成されていてもよく、異なる材料で構成されていてもよい。
【００１５】
このような構成によれば、前記シャフトを成形することによって、前記シャフトそのものに前記ストッパーの部分を設けて前記ストッパーの役割を持たせることができる。例えば前記ストッパーに前記シャフトと同じ材料を用いる場合は、金属成形をすればよく、また、前記ストッパーに樹脂を用い前記シャフトに金属を用いる場合は、インサート成形等をすればよい。
【００１６】
さらに、本発明のグリップ構造は、
前記シャフトの後端部の開口部を閉じる蓋体と、
前記シャフトの軸心回りに相対回転自在に、前記蓋体に取り付けられた拡径構造体と、
前記拡径構造体と、前記シャフトの内周面との間に設けられた断面環状のストッパーと、
を具備し、
前記ストッパーは、周方向に複数に複数に分割され、周方向一方側に向かって厚さが増大している複数の分割ストッパーで構成され、
前記拡径構造体の外周面には、前記分割ストッパーの内面に接触するように周方向一方側へ向かって前記軸心からの距離が大きくなっている傾斜面が複数形成されており、
前記蓋体とともに前記拡径構造体を周方向一方側へ回転させると、前記傾斜面が前記分割ストッパーの前記外面を径方向外側へ押し、前記拡径構造とともに前記蓋体が前記分割ストッパーを介して前記シャフトに固定されること、が好ましい。
【００１７】
このような構成によれば、シャフトの後端部の開口を蓋部で閉じるとともに、当該蓋部を固定することができる。なお、蓋部とグリップの端面との間には、スペーサーが配置されていてもよく、この場合、蓋部がスペーサーと例えば接着剤等で接合し、スペーサーにグリップの端面と連結される嵌合部を設けてもよい。
【００１８】
さらに、上記の本発明のグリップ構造においては、
前記拡径構造体の外周面に設けられた前記傾斜面に、前記軸心の方向に垂直な方向に走る誘導溝を有し、
前記分割ストッパーの内面のうちの前記誘導溝に対応する部分に、前記誘導溝に嵌まるリブを有すること、
が好ましい。
【００１９】
このような構成によれば、シャフト２へのストッパー６の固定を、軸心Ｃの方向に垂直な方向（回転方向）だけでなく軸心Ｃの方向においてもより確実にすることができ、蓋体８の回転、グリップ４と前側スペーサー１２及び後側スペーサー１４との着脱、グリップ４の挿入・抜取りによって、グリップ４のシャフト２への着脱をより確実に行うことができる。
【００２０】
また、上記の本発明のグリップ構造においては、
上記のような拡径構造体と、前記シャフトの内周面との間に設けられた断面環状のストッパーと、の組合せを用いる代わりに、
前記シャフトが、軸心の方向に沿って一体的に形成された、本体部分、傾斜部分、前記本体部分よりも細いグリップ部分及びネジ部分を有し、
前記蓋体の内側にネジ穴が設けられており、
前記蓋体を前記ネジ部分に取り付けることにより、前記グリップが前記傾斜部分に当接し、前記蓋体と前記傾斜部分との間で前記軸心の方向において固定されること、
が好ましい。
【００２１】
このような構成によれば、よりシンプルな構造で、シャフト２へのストッパー６の固定を、軸心Ｃの方向に垂直な方向（回転方向）だけでなく軸心Ｃの方向においてもより確実にすることができ、蓋体８の回転、グリップ４と前側スペーサー１２及び後側スペーサー１４との着脱、グリップ４の挿入・抜取りによって、グリップ４のシャフト２への着脱をより確実に行うことができる。特に、グリップ４の部分を細くし易く、本変形例のグリップ構造はアイアンやドライバーに適している。
【発明の効果】
【００２２】
本発明によれば、グリップの装着及び取外しに手間がかからず、ユーザーの好みに応じて、種々の形状や質感を有するグリップを容易かつ簡便に交換することができるグリップ構造を提供することができる。
【図面の簡単な説明】
【００２３】
【図１】本発明の一実施形態であるグリップ構造を採用したパターの概略断面図である。
【図２】図１に示すパター１のうちのストッパー６の部分を示す概略側面図である。
【図３】図１におけるＸ−Ｘ線断面を示す概略断面図である。
【図４】分割ストッパー６ａの斜視図である。
【図５】図１におけるＹ−Ｙ線断面を示す概略断面図である。
【図６】図１におけるＺ−Ｚ線断面を示す概略断面図である。
【図７】図１におけるシャフト２の後端部を矢印Ｐの方向からみた場合の、内側締付機構２０の構成及び機構を説明するための概略図である。
【図８】図７における内側締付機構２０の拡径構造体２０ａ（分割ストッパー２０ａ１）の構成を示す側面図である。
【図９】図７における内側締付機構２０の拡径構造体２０ｂの概略斜視図である。
【図１０】図９の拡径構造体２０ｂの変形例を示す概略斜視図である。
【図１１】本実施形態のグリップ構造の変形例を示す概略断面図である。
【発明を実施するための形態】
【００２４】
以下、本発明のグリップ構造の一実施形態として、当該グリップ構造を具備するパターについて図面を参照しながら説明する。なお、重複する説明は省略している場合もあり、断面を示す図面においては見易さのためにハッチングを省略している場合もある。また、図面における各部材の形状や寸法は、実際に本発明の作用効果を奏するための形状や寸法を必ずしも高精度では表わしていない場合もある。
【００２５】
ここで、図１は、本発明の一実施形態であるグリップ構造Ｇを採用したパター１の概略断面図であり、図２は、図１に示すパター１のうちのストッパー６の部分を示す概略側面図である。また、図３は、図１におけるＸ−Ｘ線断面を示す概略断面図であり、図４は、分割ストッパー６ａの斜視図である。
【００２６】
また、図５は、図１におけるＹ−Ｙ線断面を示す概略断面図であり、図６は、図１におけるＺ−Ｚ線断面を示す概略断面図である。図７は、図１におけるシャフト２の後端部を矢印Ｐの方向からみた場合の、内側締付機構２０の構成及び機構を説明するための概略図であり、図８は、内側締付機構２０の拡径構造体２０ａ（分割ストッパー２０ａ１）の構成を示す側面図である。さらに、図９は、内側締付機構２０の拡径構造体２０ｂの概略斜視図である。
【００２７】
本実施形態におけるグリップ構造Ｇは、中空のシャフト２と、シャフト２の軸心回りに相対回転自在でかつ軸心方向移動不能に、シャフト２に取り付けられた略筒状のグリップ４と、シャフト２の外周面のうちの、グリップ４の内周に対応する位置に、例えば接着剤で固定して設けられた断面環状のストッパー６と、を具備している。
【００２８】
グリップ構造Ｇは内部に軸心（シャフト軸心）Ｃを有し、ストッパー６は、図３に示すように、周方向Ｒ１に複数に複数に分割され、周方向一方側に向かって厚さが増大している複数の分割ストッパー６ａで構成され、グリップ４の内周面には、分割ストッパー６ａの外面に接触するように周方向一方側へ向かって軸心Ｃからの距離が大きくなっている傾斜面４ａが複数形成されており、グリップ４を周方向一方側へ回転させると、傾斜面４ａが分割ストッパー６ａの外面６Ｓ１を径方向内側へ押し、グリップ４がストッパー６を介してシャフト２に固定される構成を有している。
【００２９】
ストッパー６は、全体として略筒状であるが、周方向に複数に分割されている。図３のストッパー６は４つの分割ストッパー６ａと先端部６ｂとからなっている。図４は分割ストッパー６ａの斜視図である。ストッパー６は、グリップ４の略筒状部分の径方向内側において、すなわち図１及び図２に示すように、グリップ４の長さ方向に対応する部分に、分割ストッパー６ａを有し、その先端側に先端部６ｂを有している。
【００３０】
グリップ４は、ストッパー６のうちの分割ストッパー６ａの外周面に位置し、グリップ４の軸心方向両端面には、それぞれ前側スペーサー１２及び後側スペーサー１４に嵌合して連結されるための凸部４ａ及び４ｂが設けられており、それぞれ前側スペーサー１２及び後側スペーサー１４に設けられた開口部１２ａ及び１４ａに挿入された状態にある。
【００３１】
この凸部４ａ及び４ｂと前側スペーサー１２及び後側スペーサー１４によって、ストッパー６が軸方向に移動するのを防止し、かつ、４つの分割ストッパー６ａによって構成されたストッパー６の内周面６Ｓが、シャフト２と同軸状の円形となるように、４つの分割ストッパー６ａを位置決めして固定している。
【００３２】
分割ストッパー６ａは、縮径可能な部材であり、弾性変形可能な素材によって形成されており、例えば硬質ゴム製である。なお、本実施形態においては、シャフト２は例えば金属製であり、グリップ４は例えば軟質ゴム製であり、前側スペーサー１２及び後側スペーサー１４は例えば硬質ゴム製である。
【００３３】
図３及び図４において、分割ストッパー６ａの内面はストッパー６の内周面６Ｓを構成する面であり、シャフト２の外周面の４分の１と同じ形状の円弧面となっている。分割ストッパー６ａの外面６Ｓ２は、周方向一方側（図３の矢印Ｒ１側）へ向かって軸心ｃからの距離が大きくなるように形成されている。すなわち、外面６Ｓ２は、周方向一方側へ向かって半径が大きくなっている円弧面である。
【００３４】
このような構成により、分割ストッパー６ａの内面は軸心Ｃを中心とする半径が一定の円弧であるため、分割ストッパー６ａは周方向一方側へ向かって漸次厚さが増大している構成となる。また、分割ストッパー６ａの肉厚側の周方向端面は、第一端面６１と第二端面６２とから構成されている。
【００３５】
第一端面６１は径方向外側に向いており、第二端面６２は径方向内側に向いており、第一端面６１と第二端面６２とにより分割ストッパー６ａの周方向端部は凸形状となっている。そして、１つの分割ストッパー６ａの第二端面６２は、隣接する他の分割ストッパー６ａの薄肉側の周方向端面６４と面接触している。周方向端面６４は径方向外側に向いている。
【００３６】
そして、グリップ４の内周面２ａには、４つの分割ストッパー６ａの外面６Ｓ２に対応した形状（円弧形状）である傾斜面（カム面）４Ｓが４箇所に形成されている。すなわち、各傾斜面４Ｓは、分割ストッパー６ａの外面６Ｓ２に面で接触するように、周方向一方側（図３の矢印Ｒ１側）へ向かって軸心Ｃからの距離が大きくなっている。つまり、傾斜面４Ｓは、周方向一方側へ向かって半径が大きくなっている円弧面である。
【００３７】
なお、図１におけるＹ−Ｙ線断面は図５に示すような構成を有しており、前側スペーサー１２には、グリップ４の端面に設けられた４つの凸部４ａが入り込むための円弧状の開口部１２ａが設けられている。そして、開口部１２ａに挿入された凸部４ａが、ビス２４で固定されている。なお、凸部４ａが先端に径の大きい頭部や引掛部を設ければ、ビス２４を用いなくても、当該頭部又は引掛部によって凸部４ａを開口部１２ａに接続することができる。ここでは省略するが、後側スペーサー１４にも、同様に、グリップ４の逆側の端面に設けられた４つの凸部４ｂが入り込むための円弧状の開口部が設けられている。
【００３８】
また、図１（及び図２）におけるＺ−Ｚ線断面は図６に示すような構成を有しており、シャフト２の外周面に固定されたストッパー６の先端部６ｂは、円形状の外周部に等間隔で４つの凸部６ｂ１を有する略星状の形状を有している。そして、４つの凸部６ｂ１は、前側スペーサー１２に例えば接着剤等で固定されたスリーブ２２の内周面の溝部２２ａに、シャフト２の軸心回りに相対回転不能に嵌合している。なお、図２におけるＺ’−Ｚ’線断面も、図６に示すような構成を有している。
【００３９】
次に、シャフト２の後端部の開口部を閉じる蓋体８には、図１に示すように、蓋体８とともにグリップ４をシャフト２の軸心方向において固定するための内側締付機構２０を有している。この内側締付機構２０は、図１においては簡略化して記載しているが、図７〜図９において詳細に記載している。
【００４０】
拡径構造体２０ｂは、シャフト２の軸心回りに相対回転自在に、蓋体８に取り付けられた略長尺状で端面（ないしは横断面）２０Ｓ４が略風車形状の構造体であり（図９参照）、拡径構造体２０ｂとシャフト２の内周面との間には断面環状のストッパー２０ａが設けられている。
【００４１】
ストッパー２０ａは、図８に示すように、周方向に複数に複数に分割され、周方向一方側（矢印Ｒ２で示す方向）に向かって厚さが増大している複数の分割ストッパー２０ａ１で構成されている。分割ストッパー２０ａ１の外面２０Ｓ１は、これが拡径構造体２０ｂによって径方向外側に押されることにより、シャフト２の内周面に圧接する面である。このとき、分割ストッパー２０ａ１の内面２０Ｓ２には、拡径構造体２０ｂの傾斜面２０Ｓ３が圧接する。
【００４２】
蓋体８に接合されている拡径構造体２０ｂは、その外周面に、分割ストッパー２０ａ１の内面２０Ｓ１に接触するように周方向一方側（矢印Ｒ２で示される方向と反対の方向）へ向かって軸心からの距離が大きくなっている傾斜面２０Ｓ３が、分割ストッパー２０ａ１の数に対応して４つ形成されている。このような傾斜面２０Ｓ３が存在することにより、拡径構造体２０ｂには、長さ方向において、段差部２０Ｓ４が形成されている。
【００４３】
ここで、図７に示すように、断面方向における拡径構造体２０ｂの寸法がストッパー２０ａの寸法と略一致していて、拡径構造体２０ｂはストッパー２０ａの内部に略密着して挿入されることになる。このようにストッパー２０ａの内部に略密着して挿入された状態の拡径構造体２０ｂを、蓋体８とともに周方向一方側（矢印Ｒ２で示される方向）へ回転させると、傾斜面２０Ｓ３が分割ストッパー２０ａ１の内面２０ａ２を径方向外側へ押し出し、図７に示す矢印の方向に、分割ストッパー２０ａ１の外面２０Ｓ１がシャフト２の内周面に向かって広がる。
【００４４】
そして、最終的には分割ストッパー２０ａ１の外面２０Ｓ１がシャフト２の内周面に押し付けられて圧接することになる。すなわち、拡径構造体２０ｂによってストッパー２０ａがシャフト２の内周面に締め付けられることになる。これにより、拡径構造体２０ｂとともに蓋体８が分割ストッパー２０ａ１を介してシャフト２に固定される。蓋体８を取り外したい場合には、蓋体８とともに拡径構造体２０ｂを上記とは逆方向に回転させればよい。
【００４５】
このような構成の本実施形態のグリップ構造Ｇによれば、シャフト２へのストッパー６の固定をすることができ、蓋体８の回転、グリップ４と前側スペーサー１２及び後側スペーサー１４との着脱、グリップ４の挿入・抜取りによって、グリップ４のシャフト２への着脱を自由に行うことができるため、ユーザーの望むタイミングや場面に応じてユーザーの好みに応じた形状のグリップ４を使用することができる。
【００４６】
以上、本発明の代表的な実施形態について要旨を説明したが、その他の詳細な点については本発明の技術思想の範囲内で種々設定が可能であり、例えば各種傾斜面の角度は３０°以上６０°以下とすることができ、例えば４５°（４５°±５°）とすればよい。また、本発明は上記実施形態のみに限定されるものではなく、本発明の要旨を備えることを条件に、種々の設計変更が可能である。
【００４７】
≪変形例１≫
ここで、図１０に、上記実施形態における拡径構造体の変形例を示す。図１０に示すように、本変形例の拡径構造体２０ｂの外周面に設けられた傾斜面２０Ｓ３には、軸心Ｃの方向に垂直な方向において平行に走る複数の誘導溝２０Ｓ５が設けられている。そして、この場合、図示しないが、図８における分割ストッパー２０ａ１の内面のうちの誘導溝２０Ｓ５に対応する部分に、誘導溝２０Ｓ５に嵌まるリブが設けられている。
【００４８】
このリブは、誘導溝２０Ｓ５に嵌まって、拡径構造体２０ｂが軸心Ｃの方向にずれないように位置決めをする機能を果たすものであり、したがって、当該機能を発揮する限りにおいて、種々の設計変更が可能である。例えば、誘導溝２０Ｓ５の深さ及びリブの高さは、種々の設計変更が可能である。
【００４９】
誘導溝２０Ｓ５の深さは、誘導溝２０Ｓ５の一端から他端にかけて必ずしも一定でなくてもよく、一端から他端にかけて高さが増大していても減少していてもよいし、リブの高さは、当該リブの一端から他端にかけて、傾斜面２０Ｓ３に対して必ずしも一定でなくてもよく、一端から他端にかけて高さが増大していても減少していてもよい。
【００５０】
ただし、特に、拡径構造体２０ｂを矢印Ｒ２の方向に回転させてストッパー２０ａをシャフト２の内周面に締め付ける際に、分割ストッパー２０ａ１のリブが誘導溝２０Ｓ５に嵌まって、より確実に分割ストッパー２０ａ１を軸心Ｃからみて外側に押すように、誘導溝２０Ｓ５の深さＤとリブの高さＨとの差（Ｄ−Ｈ）が、矢印Ｒ２の方向に向かって減少するような形状を有するのが好ましい。
【００５１】
このような構成を有することにより、シャフト２へのストッパー６の固定を、軸心Ｃの方向に垂直な方向（回転方向）だけでなく軸心Ｃの方向においてもより確実にすることができ、蓋体８の回転、グリップ４と前側スペーサー１２及び後側スペーサー１４との着脱、グリップ４の挿入・抜取りによって、グリップ４のシャフト２への着脱を自由かつ確実に行うことができるため、ユーザーの望むタイミングや場面に応じてユーザーの好みに応じた形状のグリップ４を使用することができる。
【００５２】
≪変形例２≫
次に、図１１に、上記実施形態におけるグリップ構造Ｇの別の変形例を示す。図１１に示すように、本変形例のグリップ構造Ｇ’は、シャフト２及び蓋体８の構造が上記実施形態と異なる形態を有するものであり、ストッパー２０ａ（分割ストッパー２０ａ１）及び拡径構造体２０ｂからなる内側締付機構２０を用いない構成を有している。
【００５３】
図１１に示すように、シャフト２は、図１１における左側から、太い本体部分２ａ、傾斜部分２ｂ、細いグリップ部分２ｃ、及び先端のネジ部分２ｄを有し、これらは一体的に形成されている。
【００５４】
本変形例においては、細いグリップ部分２ｃから太い本体部分２ａを繋ぐ傾斜部分２ｂが存在することにより、スリーブ２２がこの傾斜部分２ｂに当たるため、グリップ４（更には前側スペーサー１２、後側スペーサー１４、スリーブ２２及び蓋体８）がシャフト２に対して矢印Ｐの方向へ移動することを妨げられて固定されることになる。なお、スリーブ２２は、図１１においては、傾斜部分２ｂを越えて左側にまで延びているが、傾斜部分２ｂに当接して矢印Ｐの方向へ移動することを妨げられる部分を有していれば、必ずしも延びていなくてもよい。
【００５５】
また、シャフト２の先端にはネジ切りがなされてネジ部分２ｄが設けられており、蓋体８の内部にはネジ穴構造が形成されていることにより、蓋体８をネジ部分２ｄに締め付ければ、グリップ４（更には前側スペーサー１２、後側スペーサー１４、スリーブ２２及び蓋体８）が、矢印Ｐの方向と反対の方向への移動を妨げられて固定されることになる。
【００５６】
このような構成を有することにより、シャフト２へのストッパー６の軸心Ｃの方向における固定をすることができ、蓋体８の回転、グリップ４と前側スペーサー１２及び後側スペーサー１４との着脱、グリップ４の挿入・抜取りによって、グリップ４のシャフト２への着脱を自由に行うことができるため、ユーザーの望むタイミングや場面に応じてユーザーの好みに応じた形状のグリップ４を使用することができる。特に、グリップ４の部分を細くし易く、本変形例のグリップ構造はアイアンやドライバーに適している。
【００５７】
上記実施形態の各構成は、本発明の技術的思想の範囲内において、種々組み合わせて採用することができる。また、上記実施形態においては、本発明のグリップ構造をゴルフパターやアイアン、ドライバーについて適用した場合について説明したが、本発明のグリップ構造は、例えば、バドミントン用ラケットやテニス用ラケット等の各種ラケット、若しくは鍬、鎌又は鋤等に用いられるグリップにも適用することができる。
【産業上の利用可能性】
【００５８】
本発明の取外し交換可能なグリップ構造は、ウッドやアイアン、パター等のゴルフクラブ、バドミントン用ラケットやテニス用ラケット等の各種ラケット、若しくは鍬、鎌又は鋤等に用いられるグリップに適用するゴルフクラブ、各種ラケット、若しくは鍬、鎌又は鋤等、ユーザーが変更を希望する全てのグリップ構造に適用することが可能である。
【符号の説明】
【００５９】
Ｇ、Ｇ’・・・グリップ構造、
２・・・シャフト、
４・・・グリップ、
４Ｓ・・・傾斜面、
４ａ・・・凸部、
４ｂ・・・凸部、
６・・・ストッパー、
６ａ・・・分割ストッパー、
６ｂ・・・先端部、
６Ｓ・・・内周面、
６Ｓ２・・・外面、
８・・・蓋体、
１２・・・前側スペーサー、
１２ａ・・・開口部、
１４・・・後側スペーサー、
１４ａ・・・開口部、
２０・・・内側締付機構、
２０ａ・・・ストッパー、
２０ａ１・・・分割ストッパー、
２０ｂ・・・拡径構造体、
２０Ｓ１・・・外面、
２０Ｓ２・・・内面、
２０Ｓ３・・・傾斜面、
２０Ｓ４・・・段差部、
２０Ｓ５・・・誘導溝、
２２・・・スリーブ、
２２ａ・・・溝部、
６１・・・第一端面、
６２・・・第二端面、
６４・・・周方向端面。
【図１】
2010253232.tif 000003
【図２】
2010253232.tif 000004
【図３】
2010253232.tif 000005
【図４】
2010253232.tif 000006
【図５】
2010253232.tif 000007
【図６】
2010253232.tif 000008
【図７】
2010253232.tif 000009
【図８】
2010253232.tif 000010
【図９】
2010253232.tif 000011
【図１０】
2010253232.tif 000012
【図１１】
2010253232.tif 000013